(57)【要約】【課題】片側からの開封動作によって、確実かつ完全に開封することが可能なガゼット袋を提供する。【解決手段】対向する主面部１１および１２と、折込部１３と、折込部１４とを備えるガゼット袋１であって、主面部１１と折込部１３との接続部分に設けられた開封開始部３１と、主面部１２と折込部１３との接続部分に設けられた開封開始部３２と、折込部１４の頂部１４ａと主面部１１とを部分的に接着する部分接着部２６と、開封開始部３１から引裂き予定線に沿って折込部１４に向かって延在し、かつ部分接着部２６に達する開封補助部４１とを備える。【選択図】図２
2018131252.tif 000002
【特許請求の範囲】
【請求項１】
対向する第１および第２の主面部と、前記第１の主面部および前記第２の主面部の一方の側縁部から内側に折り込まれる第１の折込部と、前記第１の主面部および前記第２の主面部の他方の側縁部から内側に折り込まれる第２の折込部と、を備えるガゼット袋であって、
前記第１の主面部と前記第１の折込部との接続部分に設けられた第１の開封開始部と、
前記第２の主面部と前記第１の折込部との接続部分に設けられた第２の開封開始部と、
前記第２の折込部の頂部と、前記第１の主面部または前記第２の主面部とを部分的に接着する部分接着部と、
前記第１および第２の主面部のうち前記部分接着部が設けられた方の主面部に形成され、前記第１の折込部側から引裂き予定線に沿って前記第２の折込部に向かって延在し、かつ前記部分接着部に達する開封補助部と、
を備えることを特徴とするガゼット袋。
【請求項２】
前記部分接着部は、前記第２の折込部の頂部と、前記第１および第２の主面部の一方のみとを接着することを特徴とする請求項１に記載のガゼット袋。
【請求項３】
前記部分接着部の接着強度は、当該部分接着部により接着される部分を手指で引き剥がせる程度の強度であることを特徴とする請求項１または２に記載のガゼット袋。
【請求項４】
前記第１および第２の主面部のうち前記開封補助部が設けられていない方の主面部に設けられ、前記第１の折込部側から引裂き予定線に沿って前記第２の折込部に向かって延在する第２の開封補助部をさらに備え、
前記開封補助部および前記第２の開封補助部は、少なくとも一部において正面視して重ならないように形成されていることを特徴とする請求項１〜３のいずれかに記載のガゼット袋。
【請求項５】
前記開封補助部および前記第２の開封補助部は、前記部分接着部において正面視して重なることを特徴とする請求項４に記載のガゼット袋。
【請求項６】
前記第１の主面部と前記第２の折込部との接続部分に設けられた第３の開封開始部と、
前記第２の主面部と前記第２の折込部との接続部分に設けられた第４の開封開始部と、
前記第１の折込部の頂部と、前記第１の主面部または前記第２の主面部とを部分的に接着する第２の部分接着部と、
をさらに備えることを特徴とする請求項１〜５のいずれかに記載のガゼット袋。
【請求項７】
前記開封補助部は、前記第２の部分接着部を通過することを特徴とする請求項６に記載のガゼット袋。
【発明の詳細な説明】
【技術分野】
【０００１】
本発明は、ガゼット袋、より詳しくは、内側に折り込まれた折込部を有するサイドガゼットタイプのガゼット袋に関する。
【背景技術】
【０００２】
従来から、容積効率や自立性に優れる等の理由から、折込部（ガゼット部とも呼ばれる。）を有するガゼット袋が用いられている。ガゼット袋の中でも特に、袋体の左右両側の折込部がＶ字状に折り込まれたサイドガゼット袋は、容積効率や自立性に優れている（例えば特許文献１参照）。
【０００３】
特許文献２には、ノッチから延びる引裂き予定線上における折り込み内部先端角部と表裏面とをスポット状のヒートシールで溶着したガゼット袋が記載されている。また、特許文献３には、折込先端部および根元部を跨いで内層同士を熱接着した開封補助熱接着部に、直線状切込を設けたガゼット袋が記載されている。
【０００４】
サイドガゼット袋は、例えば、２枚の主面フィルムを対向させ、縦方向に折り曲げられた側面フィルムを主面フィルムの両側縁部に溶着して筒体を形成し、この筒体の下端の開口を底面フィルムで封止したものとして構成される。
【先行技術文献】
【特許文献】
【０００５】
【特許文献１】特開２００９−７３５５２号公報
【特許文献２】実開平５−２６８３８号公報
【特許文献３】特開２００４−２３７９９５号公報
【発明の概要】
【発明が解決しようとする課題】
【０００６】
しかしながら、サイドガゼット袋は、容積効率や自立性に優れている反面、開封に手間がかかるという課題があった。すなわち、袋体の側縁部から横方向に手指で引裂き開封した場合、引裂き線の先端が折込部の頂部（より詳しくは引裂き方向に対し凸となる頂部）で引っかかってしまい、それ以上開封することができない。そのため、ガゼット袋を完全に開封するには、反対側の側縁部からも開封動作を行う必要があった。
【０００７】
特許文献２および３では、スポット状のヒートシールや開封補助熱接着部が提案されている。しかしながら、手指でガゼット袋に加える引裂き力の方向等によっては、引裂き線がスポット状のヒートシールや開封補助熱接着部に到達しない場合がある。この場合、引裂き線の先端が折込部の頂部で引っかかってしまい、それ以上開封することができない。すなわち、片側からの開封動作によって、確実かつ完全に開封することができないという課題があった。
【０００８】
そこで、本発明は、片側からの開封動作によって、確実かつ完全に開封することが可能なガゼット袋を提供することを目的とする。
【課題を解決するための手段】
【０００９】
本発明に係るガゼット袋は、
対向する第１および第２の主面部と、前記第１の主面部および前記第２の主面部の一方の側縁部から内側に折り込まれる第１の折込部と、前記第１の主面部および前記第２の主面部の他方の側縁部から内側に折り込まれる第２の折込部と、を備えるガゼット袋であって、
前記第１の主面部と前記第１の折込部との接続部分に設けられた第１の開封開始部と、
前記第２の主面部と前記第１の折込部との接続部分に設けられた第２の開封開始部と、
前記第２の折込部の頂部と、前記第１の主面部または前記第２の主面部とを部分的に接着する部分接着部と、
前記第１および第２の主面部のうち前記部分接着部が設けられた方の主面部に形成され、前記第１の折込部側から引裂き予定線に沿って前記第２の折込部に向かって延在し、かつ前記部分接着部に達する開封補助部と、
を備えることを特徴とする。
【００１０】
また、前記ガゼット袋において、
前記部分接着部は、前記第２の折込部の頂部と、前記第１および第２の主面部の一方のみとを接着するようにしてもよい。
【００１１】
また、前記ガゼット袋において、
前記部分接着部の接着強度は、当該部分接着部により接着される部分を手指で引き剥がせる程度の強度であるようにしてもよい。
【００１２】
また、前記ガゼット袋において、
前記第１および第２の主面部のうち前記開封補助部が設けられていない方の主面部に設けられ、前記第１の折込部側から引裂き予定線に沿って前記第２の折込部に向かって延在する第２の開封補助部をさらに備え、
前記開封補助部および前記第２の開封補助部は、少なくとも一部において正面視して重ならないように形成されているようにしてもよい。
【００１３】
また、前記ガゼット袋において、
前記開封補助部および前記第２の開封補助部は、前記部分接着部において正面視して重なるようにしてもよい。
【００１４】
また、前記ガゼット袋において、
前記第１の主面部と前記第２の折込部との接続部分に設けられた第３の開封開始部と、
前記第２の主面部と前記第２の折込部との接続部分に設けられた第４の開封開始部と、
前記第１の折込部の頂部と、前記第１の主面部または前記第２の主面部とを部分的に接着し、かつ前記開封補助部が通過する第２の部分接着部と、
をさらに備えてもよい。
【００１５】
また、前記ガゼット袋において、
前記開封補助部は、前記第２の部分接着部を通過するようにしてもよい。
【発明の効果】
【００１６】
本発明によれば、片側からの開封動作によって、確実かつ完全に開封することが可能なガゼット袋を提供することができる。
【図面の簡単な説明】
【００１７】
【図１】第１の実施形態に係るガゼット袋１の全体を示す正面図である。
【図２】第１の実施形態に係るガゼット袋１の上側部分の斜視図である。
【図３】第１の実施形態に係るガゼット袋１の引裂き予定線に沿う断面図である。
【図４】第１の実施形態に係るガゼット袋１の開封機序を説明するための一部正面図である。
【図５】第２の実施形態に係るガゼット袋１Ａの上側部分の斜視図である。
【図６】第２の実施形態に係るガゼット袋１Ａの引裂き予定線に沿う断面図である。
【図７】開封開始部および開封補助部の変形例を示す一部正面図である。
【発明を実施するための形態】
【００１８】
以下、本発明に係る実施形態について図面を参照しながら説明する。なお、各図において同等の機能を有する構成要素には同一の符号を付している。
【００１９】
（第１の実施形態）
本発明の第１の実施形態に係るガゼット袋１について、図１〜図４を参照して説明する。図１は、本実施形態に係るガゼット袋１の全体正面図を示し、図２はガゼット袋１の上側部分の斜視図を示し、図３はガゼット袋１の引裂き予定線に沿う断面図を示している。図４は、係るガゼット袋１の開封機序を説明するための一部正面図を示している。
【００２０】
なお、図１および図２は、内容物が充填される前のガゼット袋を示している。実際には、図１に示すガゼット袋１の上端開口から内容物が充填され、その後、上端開口が封止される。ガゼット袋に充填される内容物は、特に限定されず、例えば、各種飲料、調味料、洗剤、化粧品、医薬品等である。また、本発明に係るガゼット袋は、内容物を直接包装する一次包装用の袋体だけでなく、小袋やスティック包装袋等の二次包装用の袋体（外装）にも適用可能である。
【００２１】
ガゼット袋１は、図１および図２に示すように、サイドガゼットタイプのガゼット袋である。このガゼット袋１は、主面部１１（第１の主面部）と、主面部１２（第２の主面部）と、折込部１３（第１の折込部）と、折込部１４（第２の折込部）と、底面部１５とを備える。
【００２２】
図１〜図３に示すように、主面部１１および主面部１２は、ほぼ同じ大きさであり、ガゼット袋１の対向する一対の主面を構成している。折込部１３は、主面部１１および主面部１２の一方の側縁部（図２中左側）から内側に折り込まれている。折込部１４は、主面部１１および主面部１２の他方の側縁部（図２中右側）から内側に折り込まれている。
【００２３】
主面部１１、主面部１２、折込部１３、折込部１４および底面部１５は、少なくとも基材層および熱融着層を有する積層体（積層フィルム）である。この積層体は、熱接着性樹脂を用いた押出しラミネート、または、接着剤を用いたドライラミネート等の公知の積層方法で作製することが可能である。なお、基材層の厚みは、６〜５０μｍであることが好ましく、９〜３０μｍであることがより好ましい。また、熱融着層の厚みは、１０〜２００μｍであることが好ましく、２０〜１００μｍであることがより好ましい。
【００２４】
基材層は、印刷適性に優れ、さらには、十分な突き刺し強度、引っ張り強度、耐衝撃性等を備えていることが好ましい。基材層の材質としては、例えば、ポリエチレンテレフタレート（ＰＥＴ）、ポリプロピレン（ＰＰ）、ポリアミド、エチレンビニルアルコール共重合体等が挙げられる。なお、基材層は、これらの樹脂の二軸延伸フィルムまたは一軸延伸フィルムであることが好ましい。
【００２５】
また、基材層は、樹脂フィルム上に、金属（アルミニウム、マグネシウム等）または無機酸化物（酸化珪素等）を蒸着したガスバリア性を有する蒸着フィルムでもよい。あるいは、基材層は、樹脂フィルムの表面をバリア性コート剤等で被覆したコートフィルムでもよい。バリア性コート剤としては、例えば、ポリ塩化ビニリデン等が挙げられる。また、基材層は、上記フィルムのいずれか一つからなる単層フィルムであってもよく、あるいは、上記フィルムを任意に組み合わせて共押出ししてなる多層フィルムであってもよい。
【００２６】
熱融着層は、熱融着（ヒートシール）可能な層である。この熱融着層の材質としては、例えば、高密度ポリエチレン、中密度ポリエチレン、低密度ポリエチレン、直鎖低密度ポリエチレン、ポリプロピレン等の樹脂が挙げられる。
【００２７】
なお、熱融着層は、直鎖低密度ポリエチレン等のポリエチレン、ポリプロピレン等のポリオレフィン樹脂、またはこれらの混合樹脂でもよい。また、熱融着層は、アイオノマー樹脂、エチレン−酢酸ビニル共重合体、エチレン−アクリル酸共重合体、エチレン−アクリル酸メチル共重合体、およびエチレン−メタクリル酸共重合体からなる群から選ばれる１種以上の樹脂からなる未延伸フィルム、あるいは、前記群から選ばれる樹脂を組み合わせて共押出しした多層フィルム等でもよい。
【００２８】
主面部１１等を構成する積層体は、必要に応じて、基材層と熱融着層との間に中間層を有してもよい。中間層を構成する材料は、気体遮断性、機械的強靱性、耐屈曲性、耐突き刺し性、耐衝撃性、耐磨耗性、耐寒性、耐熱性、耐薬品性等、要求される機能に応じて適宜選択される。例えば、中間層は、アルミニウム、鉄、銅、錫等の金属からなる金属箔である。あるいは、中間層は、ポリエチレンテレフタレート、ポリアミド、ポリ塩化ビニル、ポリカーボネート、ポリビニルアルコール、エチレン−酢酸ビニル共重合体ケン化物等のフィルム、又はこれらにポリ塩化ビニリデンを塗工したフィルムである。あるいは、中間層は、アルミニウム、酸化珪素、酸化アルミニウム、酸化インジウム、酸化錫、酸化ジルコニウム、酸化マグネシウム等の無機物を蒸着したフィルムである。あるいは、中間層は、ポリ塩化ビニリデンのフィルムである。
【００２９】
なお、中間層の厚みは６〜５０μｍであることが好ましく、９〜３０μｍであることがより好ましい。また、必要に応じて、積層体に２つ以上の中間層を設けてもよい。
【００３０】
図１〜図３に示すように、ガゼット袋１は、積層体の熱融着層同士を接触させた状態で端部と熱融着することで形成される。すなわち、縦方向に折り曲げられた折込部１３および１４が、対向配置された主面部１１および１２の両側縁部にそれぞれ熱融着されることで、筒体が形成される。その後、このように形成された筒体の下側開口端に底面部１５が熱融着される。
【００３１】
主面部１１は、その両側縁部で折込部１３および１４に熱融着されている。同様に、主面部１２は、その両側縁部で折込部１３および１４に熱融着されている。図２および図３に示すように、シール部２１は、主面部１１と折込部１３とが熱融着された部分である。シール部２２は、主面部１２と折込部１３とが熱融着された部分である。シール部２３は、主面部１１と折込部１４とが熱融着された部分である。シール部２４は、主面部１２と折込部１４とが熱融着された部分である。
【００３２】
なお、本実施形態では、図２に示すように、４枚の積層フィルム、すなわち、主面部１１、主面部１２、折込部１３および折込部１４を各々の縁部で熱融着することで筒体が形成されている。よって、筒体は、４つのシール部２１〜２４を有する。本発明は、このような構成に限られず、１枚の積層フィルムを折り曲げて、１辺のみを熱融着することにより筒体を形成してもよい。あるいは、２枚または３枚のフィルムを適宜組み合わせて筒体を形成してもよい。また、筒体が背貼り部（合掌シール部）を有するようにしてもよい。
【００３３】
また、本実施形態では、底面部１５が設けられているが、本発明はこれに限られず、底面部１５が無い構成でもよい。例えば、主面部１１、主面部１２、折込部１３および折込部１４からなる筒体の下端開口を熱融着して封止してもよい。
【００３４】
図２に示すように、シール部２１および２２には、開封開始部３１（第１の開封開始部）および開封開始部３２（第２の開封開始部）がそれぞれ設けられている。開封開始部３１および３２は、ガゼット袋１を手指で開封する際に引裂き線の始点となる。開封開始部３１と開封開始部３２は、開封しやすいように、正面視してほぼ重なるように設けられている。
【００３５】
開封開始部３１および３２は、例えばＩノッチであるが、これに限らず、亀甲ノッチ、Ｕノッチ、Ｖノッチ等の切り込みでもよい。また、シール部２１，２２の少なくとも所定の領域に粗面加工を施して微細な傷痕を形成することにより、開封開始部３１，３２を形成してもよい。あるいは、シール部２１，２２の所定の領域に多数の針穴を形成することにより、開封開始部３１，３２を形成してもよい。
【００３６】
なお、シール部２１，２２が形成されていない場合（例えば１枚のフィルムを折り曲げて主面部１１，１２および折込部１３が形成されている場合）、開封開始部３１は、主面部１１と折込部１３とを区画する折り曲げ線の両側の領域に設けられる。すなわち、折り曲げ線を跨ぐ一定の領域に開封開始部３１が形成される。同様に、開封開始部３２は、主面部１２と折込部１３とを区画する折り曲げ線の両側の領域に設けられる。
【００３７】
本願において、開封開始部３１は、主面部１１と折込部１３との接続部分に設けられていると言える。同様に、開封開始部３２は、主面部１２と折込部１３との接続部分に設けられていると言える。ここで、「接続部分」とは、主面部と折込部が接続する部分である。主面部１１と折込部１３が熱融着されている場合、接続部分はシール部２１を示す。一方、１枚の積層フィルムが折り曲げられて主面部１１と折込部１３が形成されている場合、接続部分は積層フィルムの折り曲げ線の両側の領域を示す。
【００３８】
図１および図２に示すように、折込部１４の頂部１４ａと、主面部１１とは、部分接着部（ポイントシール部）２６により部分的に接着されている。本実施形態では、折込部１４の頂部１４ａと、主面部１１とは、互いの熱融着層により部分的に熱融着されている。すなわち、本実施形態に係るガゼット袋１は、折込部１４の頂部１４ａと、主面部１１とを部分的に熱融着する部分接着部２６を備えている。この部分接着部２６は、開封開始部３１，３２から横方向に延在する引裂き予定線上に設けられている。
【００３９】
なお、部分接着部２６は、熱融着に限られず、粘着剤または接着剤により、折込部１４の頂部１４ａと、主面部１１とを部分的に接着してもよい。
【００４０】
上記のように、本発明において「接着」とは、接着剤または粘着剤による接着であってもよいし、あるいは、熱融着層同士を熱溶融させることによる接着（すなわち、熱融着）であってもよい。
【００４１】
また、部分接着部２６の形状は、特に限定されるものではなく、例えば、円形、楕円形、長円形、矩形、多角形等である。
【００４２】
また、部分接着部２６の大きさは、例えば１〜３００ｍｍ２であり、好ましくは、５〜２５０ｍｍ２である。部分接着部２６の形状が矩形の場合は、縦方向の長さが３０〜５０ｍｍで横方向（幅方向）の長さが３〜５ｍｍであることが好ましい。
【００４３】
図２に示すように、開封開始部３１および３２を出発点として開封補助部４１〜４４が設けられている。本実施形態では、開封補助部４１〜４４は、正面視してほぼ重なるように設けられている。開封補助部４１〜４４は、開封時に引裂き方向を安定させるガイドの役割を担う。
【００４４】
開封補助部４１は主面部１１に設けられている。この開封補助部４１は、開封開始部３１から引裂き予定線に沿って折込部１４に向かって延在する。すなわち、開封補助部４１は、折込部１３側から折込部１４に向かって延在する。開封補助部４１は部分接着部２６に達する。本実施形態では、開封補助部４１は、部分接着部２６を通過してシール部２３まで設けられている。
【００４５】
開封補助部４２は、主面部１２に設けられており、開封開始部３２から引裂き予定線に沿ってシール部２４まで延在する。開封補助部４２は、折込部１３側から折込部１４に向かって延在する。図２および図３に示すように、開封補助部４２は、部分接着部２６により折込部１４と熱融着されていない。
【００４６】
開封補助部４３は、折込部１３に設けられており、開封開始部３１から開封開始部３２まで延在する。開封補助部４４は、折込部１４に設けられており、開封補助部４１の終端から開封補助部４２の終端まで延在する。
【００４７】
開封補助部４１〜４４の形状は、例えば線状である。この場合、実線が好ましいが、ミシン目ないし点線等の断続的な線でもよい。なお、開封補助部４１〜４４の形状は、帯状であってもよい。また、開封補助部４１〜４４は、直線状に限られず、曲線状（例えば波状等）であってもよい。
【００４８】
開封補助部４１〜４４は、主面部１１、主面部１２、折込部１３および折込部１４にそれぞれ、手指による引裂き開封を容易にする易開封加工を施すことにより形成されている。易開封加工は、例えば、積層体の表面に微細な傷痕を形成する粗面加工、または刃物による加工（刃物加工）であり、好ましくはレーザーによる加工（レーザー加工）である。
【００４９】
レーザー加工の場合、積層体にレーザー光を照射することにより、積層体をハーフカットすることで開封補助部を形成する。ハーフカットとは、積層体のうち少なくとも熱融着層を除いた他の層を部分的に除去することをいう。ハーフカットされた状態では、積層体のうち一部の層のみが部分的に除去されて切れているが、積層体は貫通していない。レーザーの種類としては、炭酸ガスレーザーが好適に使用可能である。ただし、積層体のプラスチックフィルムを加工するのに適したものであれば、ＹＡＧレーザー、グリーンレーザー等、他の種類のレーザーを使用してもよい。例えば、プラスチックフィルムの材質に対して吸収率の高いレーザーを使用する。これによって、基材層（および必要に応じて用いる中間層）のみにレーザー照射による傷痕を生じさせ、積層体をハーフカットすることが可能である。また、プラスチックフィルムの材質に応じてレーザーの出力を調整することで、ハーフカットを行ってもよい。
【００５０】
刃物加工の場合、板状部材に突起を設けた刃物、または、筒体の周面に突起を設けた刃物を用いる。刃物の形状は、実線あるいは断続的な切れ目（ミシン目、点線等）を形成できるものが好適である。なお、刃物の材質は、鉄等の金属である。
【００５１】
粗面加工の場合、粗面化手段（サンドペーパー、砥粒等）を基材層、または基材層と中間層の積層体に圧接することで、表面に微小な傷痕からなる粗面を付与する。なお、粗面加工で形成された開封補助部は、レーザー加工や刃物加工により形成されたものに比べてガイド機能が低い。このため、粗面加工は、比較的高いガイド機能が要求される開封補助部４１，４２ではなく、それほど高いガイド機能が要求されない開封補助部４３，４４の形成に適用することが好ましい。
【００５２】
なお、粗面加工や刃物加工により開封補助部を形成する場合、加工の際に熱融着層を貫通するおそれがある。したがって、熱融着層を基材層（あるいは中間層）の上に積層する前に、粗面加工や刃物加工を行って開封補助部を形成しておくことが望ましい。
【００５３】
次に、上記構成を有するガゼット袋１の開封について、図４を参照して説明する。前述のように図１および図２に示すガゼット袋１は、内容物を充填する前の状態を示しており、実際には、ガゼット袋１に内容物が充填された後、ガゼット袋１の上端開口が熱融着により封止される。この封止後、ガゼット袋を開封する際の開封機序について以下説明する。
【００５４】
手指でガゼット袋１の開封を始めると、引裂き線は開封開始部３１および３２から易開封加工が施された開封補助部４１（端側開封補助部４１ａ）、４２および４３にガイドされ、折込部１３の頂部１３ａに向けて進む。頂部１３ａを越えると、引裂き線は開封補助部４１（中央開封補助部４１ｂ）および４２にガイドされ、折込部１４の頂部１４ａに向けて進む。そして、引裂き線の先端が頂部１４ａを越えると、開封補助部４１にガイドされた引裂き線は、開封補助部４１（端側開封補助部４１ｃ）と開封補助部４４に分岐する。この際、部分接着部２６により頂部１４ａが主面部１１に接着されているため、引裂き線は頂部１４ａで引っかかることはなく２本に分岐する。その後、端側開封補助部４１ｃにガイドされた引裂き線は、シール部２３の縁部に到達する。開封補助部４４にガイドされた引裂き線は、開封補助部４２にガイドされた引裂き線とシール部２４にて合流し、シール部２４の縁部に到達する。このようにして、ガゼット袋１は片側からの開封動作によって完全に開封される。
【００５５】
上記のように第１の実施形態では、少なくとも開封開始部３１から引裂き予定線に沿って部分接着部２６まで開封補助部４１が設けられている。この開封補助部４１が、ガゼット袋１の開封時、引裂き線を部分接着部２６まで確実にガイドする。そして、部分接着部２６が頂部１４ａにおいて引裂き線が引っかかることを防止する。これにより、第１の実施形態によれば、片側からの開封動作によって、ガゼット袋１を確実かつ完全に開封することができる。
【００５６】
さらに、第１の実施形態では、部分接着部２６が折込部１４の頂部１４ａと主面部１２とを熱融着しないため、封止前のガゼット袋１の開口を比較的広くとることができる。よって、ガゼット袋１への内容物の充填を容易に行うことができる。
【００５７】
なお、開封補助部のうち、端側開封補助部４１ｃおよび開封補助部４４は、必須の構成ではなく、積層体の引裂き容易性等に応じて省略することが可能である。
【００５８】
また、本実施形態に係るガゼット袋１は、以下のように様々な変形例を想定することが可能である。
【００５９】
部分接着部２６は、折込部１４の頂部１４ａと、主面部１１ではなく主面部１２とを熱融着してもよい。この場合、開封補助部４２は、開封開始部３２から引裂き予定線に沿って折込部１４に向かって延在し、かつ部分接着部２６に達する。また、ガゼット袋１への内容物の充填を容易に行えるようにするため、部分接着部２６が折込部１４の頂部１４ａと、主面部１１とを熱融着しないことが好ましい。より一般的に言えば、部分接着部２６は、折込部１４の頂部１４ａと、主面部１１および１２の一方のみとを熱融着することが好ましい。なお、本発明は、部分接着部２６が、折込部１４の頂部１４ａを主面部１１および主面部１２の両方に接着することを排除しない。例えば横幅が比較的広いガゼット袋の場合、折込部１４の頂部１４ａは、部分接着部２６により、主面部１１と１２の両方に接着されてもよい。
【００６０】
また、部分接着部２６は、手指で剥がせる程度の弱シールとしてもよい。すなわち、部分接着部２６の接着強度（シール強度）が、部分接着部２６により接着される部分を手指で引き剥がせる程度の強度としてもよい。より具体的には、部分接着部２６の接着強度は、折込部１４の頂部１４ａと、主面部１１（および／または主面部１２）とを手指で引き剥がせる程度の強度としてもよい。これにより、ガゼット袋１を開封した後、部分接着部２６による接着部分を手指で引き剥がすことが可能となり、ガゼット袋１の開口を広げることができる。すなわち、部分接着部２６を設けた場合でも、開口部が大きいというガゼット袋の特徴を維持することができる。なお、弱シールの接着強度は、流通段階で容易に剥がれず、かつ開封後手指で剥がせる程度とすることが好ましい。具体的には、０．５〜２０Ｎ／１５ｍｍ巾であることが好ましく、２〜１０Ｎ／１５ｍｍ巾であることがより好ましい。これらの数値範囲の値は、日本工業規格ＪＩＳ  Ｚ  ０２３８に記載の「袋のヒートシール強さ試験」に準拠して測定した場合における測定値である。
【００６１】
また、開封開始部３１から折込部１３の頂部１３ａまで延在する端側開封補助部４１ａの引裂き抵抗が、頂部１３ａから折込部１４の頂部１４ａまで延在する中央開封補助部４１ｂの引裂き抵抗よりも小さいようにしてもよい。これにより、開封当初の引裂き速度を維持し、よりスムーズにガゼット袋１を開封することができる。この場合、例えば、端側開封補助部４１ａは実線とし、中央開封補助部４１ｂはミシン目とする。なお、ミシン目であっても、切れ目の間隔が切れ目の長さよりも短い場合、引裂き時に応力が集中し易くなり、実線に比べて引裂き抵抗が低下する。よって、この場合は、端側開封補助部４１ａをミシン目とし、中央開封補助部４１ｂを実線としてもよい。
【００６２】
また、開封補助部４１と開封補助部４２とが、少なくとも一部において正面視して重ならないようにしてもよい。これにより、ガゼット袋１を開封した後、主面部１１の上端と主面部１２の上端との間に段差が生じることになるため、この段差を利用してガゼット袋１を手指で容易に開口することができる。すなわち、ガゼット袋１の易開口性を向上させることができる。なお、このようにする場合において、易開封性を維持するために、部分接着部２６において開封補助部４１と開封補助部４２とが正面視してほぼ重なるようにすることが好ましい。すなわち、開封補助部４１および開封補助部４２が、少なくとも部分接着部２６においては正面視してほぼ重なるようにすることが好ましい。
【００６３】
（第２の実施形態）
次に、本発明の第２の実施形態に係るガゼット袋１Ａについて、図５〜図６を参照して説明する。図５は本実施形態に係るガゼット袋１Ａの上側部分の斜視図を示し、図６はガゼット袋１Ａの引裂き予定線に沿う断面図を示している。なお、図５は、図２と同様に、内容物を充填する前のガゼット袋を示している。
【００６４】
第２の実施形態の第１の実施形態との相違点は、左右対称の構成を有しており、左右いずれからでも開封できる点である。以下、第１の実施形態との相違点を中心に第２の実施形態について説明する。
【００６５】
ガゼット袋１Ａは、第１の実施形態のガゼット袋１と同様に、主面部１１および１２と、折込部１３および１４と、シール部２１〜２４と、部分接着部２６と、開封開始部３１および３２とを備えている。
【００６６】
さらに、ガゼット袋１Ａは、図５に示すように、開封開始部３３（第３の開封開始部）と、開封開始部３４（第４の開封開始部）と、部分接着部２５とを備えている。開封開始部３３と開封開始部３４は、正面視してほぼ重なるように設けられている。開封開始部３３はシール部２３に設けられており、開封開始部３４はシール部２４に設けられている。より一般的に言えば、開封開始部３３は主面部１１と折込部１４との接続部分に設けられており、開封開始部３４は主面部１２と折込部１４との接続部分に設けられている。
【００６７】
図５および図６に示すように、折込部１３の頂部１３ａと、主面部１１とは、部分接着部２５（第２の部分接着部）により部分的に接着されている。本実施形態では、折込部１３の頂部１３ａと、主面部１１とは、互いの熱融着層により部分的に熱融着されている。すなわち、部分接着部２５は、折込部１３の頂部１３ａと、主面部１１とを部分的に熱融着する。なお、部分接着部２５は、熱融着に限られず、粘着剤または接着剤により、折込部１３の頂部１３ａと、主面部１１とを部分的に接着してもよい。
【００６８】
図５に示すように、開封補助部４１は、開封開始部３１から引裂き予定線に沿って開封開始部３３まで延在し、途中で部分接着部２５を通過する。開封補助部４２は、開封開始部３２から引裂き予定線に沿って開封開始部３４まで延在している。開封補助部４４は、開封開始部３３から開封開始部３４まで延在している。
【００６９】
なお、部分接着部２６の場合と同様に、部分接着部２５は、折込部１３の頂部１３ａと、主面部１２とを熱融着してもよい。この場合、開封補助部４２は、開封開始部３４から引裂き予定線に沿って折込部１３に向かって延在し、かつ部分接着部２５を通過する。
【００７０】
また、部分接着部２５と部分接着部２６は、広い開口を確保できるようにするために、主面部１１および１２のうち、同じ主面部に形成されることが好ましい。換言すれば、例えば部分接着部２５が折込部１３の頂部１３ａと主面部１１とを接着する場合、部分接着部２６は折込部１４の頂部１４ａと主面部１１とを接着することが好ましい。
【００７１】
また、部分接着部２６の場合と同様に、部分接着部２５は、手指で剥がせる程度の弱シールとしてもよい。すなわち、部分接着部２５の接着強度が、部分接着部２５により接着される部分を手指で引き剥がせる程度の強度としてもよい。これにより、ガゼット袋１を開封した後、部分接着部２５による接着部分を手指で引き剥がすことで、ガゼット袋１の開口を広げることができる。
【００７２】
上記のように、第２の実施形態に係るガゼット袋１Ａは左右対称の構成を有するため、左右のいずれからでも開封することができる。すなわち、開封方向が限定されない。具体的には、第１の実施形態の場合のように開封開始部３１，３２からシール部２３，２４に向けて開封できるだけでなく、開封開始部３３，３４からシール部２１，２２に向けて開封することもできる。これにより、第２の実施形態によれば、より開封し易いガゼット袋を提供することができる。
【００７３】
以下、上述したガゼット袋１，１Ａの開封開始部、開封補助部の変形例について、図７を参照して、開封開始部３１、開封補助部４１の場合を例に取って説明する。開封開始部は、Ｉノッチ以外に、図７（ａ）に示すように、亀甲ノッチでもよい。また、図７（ｂ）および図７（ｃ）に示すように、開封開始部は、シール部に、微細なミシン目を複数列形成することにより形成されたものでもよい。その他、シール部に、多数の針穴を形成したり、あるいは粗面加工を施して微細な傷痕を形成することにより開封開始部を形成してもよい。
【００７４】
開封開始部の形成領域については、図７（ｂ）に示すように、シール部２１の縦方向全体にわたって開封開始部を形成してもよい。ただし、この場合は、「開封口」、「切り口」等、開封開始部が分かるような表示をしておく必要がある。
【００７５】
開封補助部は、複数本のガイド線から構成されてもよい。例えば、図７（ａ）、図７（ｂ）および図７（ｃ）に示すように、開封補助部として、端側開封補助部４１ａに加えて、端側開封補助部４５および４６を設けてもよい。端側開封補助部４５および４６は、開封補助部４１に（好ましくは部分接着部２５に）合流するように形成されている。これにより、開封時に引裂き線が端側開封補助部４１ａから外れた場合であっても、端側開封補助部４５，４６のガイド機能により引裂き線は開封補助部４１へと誘導される。その結果、ガゼット袋をより安定して開封することができる。
【００７６】
また、図示しないが、中央開封補助部４１ｂに平行に延在し、部分接着部２６に達する開封補助部を１本以上設けてもよい。これにより、引裂き線を部分接着部２６により確実に導くことができる。
【００７７】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【００７８】
１，１Ａ  ガゼット袋
１１，１２  主面部
１３，１４  折込部
１３ａ，１４ａ  頂部
１５  底面部
２１，２２，２３，２４  シール部
２５，２６  部分接着部
３１，３２，３３，３４  開封開始部
４１，４２，４３，４４  開封補助部
４１ａ，４１ｃ，４５，４６  端側開封補助部
４１ｂ  中央開封補助部
【図１】
2018131252.tif 000003
【図２】
2018131252.tif 000004
【図３】
2018131252.tif 000005
【図４】
2018131252.tif 000006
【図５】
2018131252.tif 000007
【図６】
2018131252.tif 000008
【図７】
2018131252.tif 000009